(57)【要約】【課題】あらかじめ撮影したい距離を決めておき、被写体の距離と比較しながら、シャッタータイミングを合わせて撮影することを可能にする。【解決手段】あらかじめ設定されている撮影距離と被写体の測距距離とを比較する比較装置と、この比較装置により比較された結果を表示装置に表示させる手段と、スナップモードで設定された撮影距離を記憶する記憶部とを備え、レリーズスイッチにより撮影開始が入力された時にスナップモードが設定されている場合は、スナップモードの撮影距離を前記記憶部に記憶させ、オートフォーカス装置により被写体距離を測定させ、その測定結果を前記比較装置に送り、比較装置によりその測距結果とあらかじめ記憶されている撮影距離とをあらかじめ設定された条件で比較し、その比較結果を前記表示装置に表示する。【選択図】　図１
2004109272.tif 000002
【特許請求の範囲】
【請求項１】
撮影レンズの撮影距離を任意の位置に設定するスナップモードを設定するスナップモードスイッチと、撮影レンズの焦点距離をあらかじめ設定した撮影距離の位置に調節制御するレンズ駆動部と、被写体の測距をするオートフォーカス装置と、その測距結果を表示する表示装置とを備えたカメラにおいて、
あらかじめ設定されている撮影距離と被写体の測距距離とを比較する比較装置と、
この比較装置により比較された結果を前記表示装置に表示させる手段と、
を備えたことを特徴とするカメラ。
【請求項２】
請求項１に記載のカメラにおいて、
カメラの撮影開始を入力するレリーズスイッチと、
スナップモードで設定された撮影距離を記憶する記憶部と、
前記レリーズスイッチにより撮影開始が入力された時にスナップモードが設定されている場合は、スナップモードの撮影距離を前記記憶部に記憶させ、前記オートフォーカス装置により被写体距離を測定させ、その測定結果を前記比較装置に送り、比較装置によりその測距結果とあらかじめ記憶されている撮影距離とをあらかじめ設定された条件で比較させ、その比較結果を前記表示装置に表示させるカメラ制御手段と、
を備えたことを特徴とするカメラ。
【請求項３】
請求項２に記載のカメラにおいて、
前記スナップモードスイッチによりスナップモードが設定された段階で、前記カメラ制御手段は、前記レンズ駆動部を作動させ、撮影レンズの焦点距離をあらかじめ記憶されている撮影距離の位置に調節制御させることを特徴とするカメラ。
【請求項４】
請求項２に記載のカメラにおいて、
前記比較装置による比較の結果、両者の差があらかじめ決められた値より大きい場合、前記カメラ制御手段は、前記表示装置に警告表示を出す指示を与えるとともに、シャッタの撮影動作を禁止することを特徴とするカメラ。
【請求項５】
請求項２に記載のカメラにおいて、
前記比較装置が測距結果とあらかじめ設定した撮影距離とを比較する時に用いる条件に、撮影レンズの性能および撮影時の絞り値で決定される被写界深度を用いたことを特徴とするカメラ。
【請求項６】
請求項２に記載のカメラにおいて、
前記オートフォーカス装置は複数領域の被写体の測距を可能にし、前記表示部はオートフォーカス装置が測距した複数領域の測距結果を表示可能にし、
前記レリーズスイッチにより撮影開始が入力された時にスナップモードが設定されている場合に、前記カメラ制御手段は、前記オートフォーカス装置に複数領域の被写体距離を測定させ、その結果を前記比較装置に送り、その複数領域の測距結果とあらかじめ設定されている撮影距離とを、あらかじめ設定された条件で比較させ、その比較結果を前記表示装置に表示させることを特徴とするカメラ。
【請求項７】
請求項６に記載のカメラにおいて、
前記比較装置により複数領域の測距結果とあらかじめ設定した撮影距離とをあらかじめ設定した条件で比較した結果、両者の差があらかじめ決められた値より小さいものがある場合、前記カメラ制御手段は、その中で最も差が小さい領域を選び、前記表示装置にその領域を表示させることを特徴とするカメラ。
【請求項８】
請求項６に記載のカメラにおいて、
前記比較装置により複数領域の測距結果とあらかじめ設定した撮影距離とをあらかじめ設定した条件で比較した結果、両者の差があらかじめ決められた値より全て大きい場合、前記カメラ制御手段は、前記表示装置に警告表示を表示させるとともに、シャッタの撮影動作を禁止することを特徴とするカメラ。
【発明の詳細な説明】
【０００１】
【発明の属する技術分野】
本発明は、スナップモードを備えたカメラのＡＦ制御に関する。
【０００２】
【従来の技術】
従来技術として、特開２０００−４７３１５号公報の発明がある。これは、液晶ディスプレイ上でオートフォーカスの測距範囲と被写体までの距離を表示するカメラである。また、特開２００１−１０８８８６号公報の発明がある。これは、画面内の複数ポイントのうち、測距時の優先順位の決定や特定の測距ポイントの選択が可能なカメラである。また、特開平１１−２７１５９６号公報の発明がある。これは、画面内の複数ポイントのうち、特に測距した領域を自動的に選択するモードを持つカメラである。これらはいずれも、撮影者がカメラを構えて撮影構図を決め、オートフォーカス装置によりファインダ内の被写体を測距して合焦する距離を求め、その距離に撮影レンズを駆動して焦点距離を合せて撮影するものである。
【０００３】
【発明が解決しようとする課題】
しかしながら、前述の特開２０００−４７３１５号公報の発明は、オートフォーカスの測距範囲と被写体までの距離を表示するカメラに関するものであり、液晶ディスプレイ上で容易にピント合せを行うようにしたものである。また、特開２００１−１０８８８６号公報の発明は、マルチＡＦカメラの測距ポイントを選択可能としたものであり、測距時間を短縮しようとしたものである。また、特開平１１−２７１５９６号公報発明は、多点ＡＦカメラの測距ポイントを選択可能としたものであり、表示を見やすくしようとしたものである。
いずれも測距結果が出てから、レンズの焦点距離を調節しているので、その分はレリーズ釦を押してから撮影までの時間短縮にならない。なお、スナップモード自体は公知技術であるが、そのモードで設定した撮影距離とオートフォーカスにより測距した距離を比較して失敗写真を少なくする案は従来技術には見当たらなかった。
【０００４】
そこで、請求項１および２の発明の目的は、被写体を測距した距離結果が、あらかじめ設定したレンズの焦点距離と比較して、差が小さい値の時はその被写体を撮影者に知らせることである。
請求項３の発明の目的は、測距動作より前の早めの段階で、撮影レンズを撮影したい距離に移動させておくことである。
請求項４の発明の目的は、被写体を測距した距離結果が、あらかじめ設定したレンズの焦点距離と比較して、差が大きい値の時はその被写体を撮影者に知らせ、その被写体の撮影を禁止することである。
請求項５の発明の目的は、被写体を測距した距離結果と、あらかじめ設定したレンズの焦点距離とを比較する場合に、両者の差を判断する基準を、被写界深度が浅い時には小さめにし、被写界深度が深い時には大きめにすることである。
請求項６および７の発明の目的は、請求項２の発明のオートフォーカス装置をマルチ・オートフォーカス装置にして、同時に複数領域の測距が可能なものにし、同時に複数の被写体を測距した距離結果が、あらかじめ設定したレンズの焦点距離と比較して、差が小さい値の時はその被写体を撮影者に知らせることである。
請求項８の発明の目的は、複数の被写体を測距した距離結果が、あらかじめ設定したレンズの焦点距離と比較して、差が小さい値のものが無かった時に、そのことを撮影者に知らせ、その被写体の撮影を禁止することである。
【０００５】
【課題を解決するための手段】
そこで請求項１の発明は、撮影レンズの撮影距離を任意の位置に設定するスナップモードを設定するスナップモードスイッチと、撮影レンズの焦点距離をあらかじめ設定した撮影距離の位置に調節制御するレンズ駆動部と、被写体の測距をするオートフォーカス装置と、その測距結果を表示する表示装置とを備えたカメラにおいて、あらかじめ設定されている撮影距離と被写体の測距距離とを比較する比較装置と、この比較装置により比較された結果を前記表示装置に表示させる手段とを備えたことを特徴とする。
【０００６】
請求項２の発明は、請求項１の発明において、カメラの撮影開始を入力するレリーズスイッチと、スナップモードで設定された撮影距離を記憶する記憶部と、前記レリーズスイッチにより撮影開始が入力された時にスナップモードが設定されている場合は、スナップモードの撮影距離を前記記憶部に記憶させ、前記オートフォーカス装置により被写体距離を測定させ、その測定結果を前記比較装置に送り、比較装置によりその測距結果とあらかじめ記憶されている撮影距離とをあらかじめ設定された条件で比較させ、その比較結果を前記表示装置に表示させるカメラ制御手段とを備えたことを特徴とする。
【０００７】
請求項３の発明は、請求項２の発明において、前記スナップモードスイッチによりスナップモードが設定された段階で、前記カメラ制御手段は、前記レンズ駆動部を作動させ、撮影レンズの焦点距離をあらかじめ記憶されている撮影距離の位置に調節制御させることを特徴とする。
【０００８】
請求項４の発明は、請求項２の発明において、前記比較装置による比較の結果、両者の差があらかじめ決められた値より大きい場合、前記カメラ制御手段は、前記表示装置に警告表示を出す指示を与えるとともに、シャッタの撮影動作を禁止することを特徴とする。
【０００９】
請求項５の発明は、請求項２の発明において、前記比較装置が測距結果とあらかじめ設定した撮影距離とを比較する時に用いる条件に、撮影レンズの性能および撮影時の絞り値で決定される被写界深度を用いたことを特徴とする。
【００１０】
請求項６の発明は、請求項２の発明において、前記オートフォーカス装置は複数領域の被写体の測距を可能にし、前記表示部はオートフォーカス装置が測距した複数領域の測距結果を表示可能にし、前記レリーズスイッチにより撮影開始が入力された時にスナップモードが設定されている場合に、前記カメラ制御手段は、前記オートフォーカス装置に複数領域の被写体距離を測定させ、その結果を前記比較装置に送り、その複数領域の測距結果とあらかじめ設定されている撮影距離とを、あらかじめ設定された条件で比較させ、その比較結果を前記表示装置に表示させることを特徴とする。
【００１１】
請求項７の発明は、請求項６の発明において、前記比較装置により複数領域の測距結果とあらかじめ設定した撮影距離とをあらかじめ設定した条件で比較した結果、両者の差があらかじめ決められた値より小さいものがある場合、前記カメラ制御手段は、その中で最も差が小さい領域を選び、前記表示装置にその領域を表示させることを特徴とする。
【００１２】
請求項８の発明は、請求項６の発明において、前記比較装置により複数領域の測距結果とあらかじめ設定した撮影距離とをあらかじめ設定した条件で比較した結果、両者の差があらかじめ決められた値より全て大きい場合、前記カメラ制御手段は、前記表示装置に警告表示を表示させるとともに、シャッタの撮影動作を禁止することを特徴とする。
【００１３】
【発明の実施の形態】
請求項１〜５の発明に関する第一の実施例について、図１に基づいて説明する。図１は、請求項１〜５の発明に係るカメラの電気的構成を示すブロック図である。カメラの制御部は、システムコントロールユニット１を中心にして構成され、システムコントロールユニット１はマイクロコンピュータ回路からなり、ＡＦ制御部１１、ＡＦ測距距離記憶部１２、スナップモード撮影距離設定部１３、スナップモード撮影距離とＡＦ結果の比較部１４により構成されている。また、システムコントロールユニット１には、ＬＣＤモニタ駆動回路２およびＬＣＤモニタ３、ＡＦユニット４、撮影レンズユニット５、レンズ駆動部６、シャッタ部７、スナップモードスイッチ８、レリーズスイッチ９が接続されている。カメラ制御手段はシステムコントロールユニット１により構成される。オートフォーカス装置はＡＦユニット４およびＡＦ制御部１１より構成される。表示装置はＬＣＤモニタ駆動回路２およびＬＣＤモニタ３により構成される。
【００１４】
次に、請求項１、２、４および５の発明の動作を、図１を参照しながら図２および図３のフロー図に基づいて説明する。図２において、撮影スタンバイの状態で（ステップ２０１）、カメラのスナップモードスイッチ８がＯＮされると（ステップ２０２ＹＥＳ）、カメラはスナップモードにセットされる（ステップ２０３）。次に、図３において、撮影スタンバイの状態で（ステップ３０１）、レリーズスイッチ９のＲＬＳＷ１がＯＮ（レリーズ釦の半押し）されると（ステップ３０２ＹＥＳ）、ＡＦユニット４によりオートフォーカス動作を行う（ステップ３０３）。ここでカメラがスナップモードであれば（ステップ３０４ＹＥＳ）、スナップモードで設定された距離と、オートフォーカスにより測距した距離を比較する（ステップ３０５）。比較した結果、両者の差が少ない場合はＯＫとしてステップ３０７へ進み、差が大きい場合はＮＧとしてステップ３１１へ進む。ＯＫの場合は（ステップ３０６ＹＥＳ）、「ＯＫ表示」を表示し（ステップ３０７）、次いで、レリーズスイッチ９のＲＬＳＷ２がＯＮ（レリーズ釦の全押し）されると（ステップ３０８ＹＥＳ）、スナップモード撮影を行う（ステップ３０９）。ステップ３０６で比較した結果、差が大きい場合は（ステップ３０６ＮＯ）、「ＮＧ表示」を表示し（ステップ３１１）、次いで、レリーズスイッチ９の押下を禁止し（ステップ３１２）、ステップ３０１の撮影スタンバイに戻る。これらステップ３０６ＮＯ、ステップ３１１、ステップ３１２が請求項４の発明に相当する。また、ステップ３０４でカメラがスナップモードでない場合は（ステップ３０４ＮＯ）、通常の撮影をして（ステップ３１３）、ステップ３０１の撮影スタンバイに戻る。請求項５の発明は、ステップ３０５において、比較条件として、撮影レンズの性能および撮影時の絞り値で決定される被写界深度を用いるようにしたものである。
【００１５】
次に、請求項３の発明の動作を、図１を参照しながら図４のフロー図に基づいて説明する。図４において、撮影スタンバイの状態で（ステップ４０１）、カメラのスナップモードスイッチ８がＯＮされると（ステップ４０２ＹＥＳ）、カメラはスナップモードにセットされる（ステップ４０３）。次に、レンズ駆動部６が撮影レンズユニット５を駆動して、スナップモードで設定された撮影距離の位置に固定する（ステップ４０４）。
【００１６】
次に、請求項６〜８の発明に関する第二の実施例について説明する。図５は、請求項６〜８の発明に係るカメラの電気的構成を示すブロック図である。図１と異なるところは、ＡＦユニット４がマルチＡＦユニット１６になり、それに伴ってＡＦ制御部１１もマルチＡＦ制御部１５になる。他は同じなので説明を省略する。
請求項６〜８の発明の動作を、図５を参照しながら図６のフロー図に基づいて説明する。図６において、撮影スタンバイの状態で（ステップ６０１）、レリーズスイッチ９のＲＬＳＷ１がＯＮ（レリーズ釦の半押し）されると（ステップ６０２ＹＥＳ）、マルチＡＦユニット１６によりマルチオートフォーカス動作を行う（ステップ６０３）。ここでカメラがスナップモードであれば（ステップ６０４ＹＥＳ）、スナップモードで設定された距離と、マルチオートフォーカスにより測距した複数の距離を比較する（ステップ６０５）。比較した結果、両者の差が小さいものがあった場合はＯＫとしてステップ６０７へ進み、差が小さいものがひとつも無い場合はＮＧとしてステップ６１１へ進む。ＯＫの場合は（ステップ６０６ＹＥＳ）、「ＯＫ表示」を表示し（ステップ６０７）、次いで、レリーズスイッチ９のＲＬＳＷ２がＯＮ（レリーズ釦の全押し）されると（ステップ６０８ＹＥＳ）、スナップモード撮影を行う（ステップ６０９）。ステップ６０６で比較した結果、差が小さいものがひとつも無い場合は（ステップ６０６ＮＯ）、「ＮＧ表示」を表示し（ステップ６１１）、次いで、レリーズスイッチ９の押下を禁止し（ステップ６１２）、ステップ６０１の撮影スタンバイに戻る。これらステップ６０６ＮＯ、ステップ６１１、ステップ６１２が請求項８の発明に相当する。また、ステップ６０４でカメラがスナップモードでない場合は（ステップ６０４ＮＯ）、通常の撮影をして（ステップ６１３）、ステップ６０１の撮影スタンバイに戻る。
【００１７】
次に表示装置の表示例について説明する。表示装置は図１および図５のＬＣＤモニタ駆動回路２およびＬＣＤモニタ３であるが、他にファインダ内に表示させることも可能であり、ここではファインダ内の表示について説明する。
図７は、図３の請求項１〜５の発明に係る第一の実施例における表示装置を示し、表示が全点灯した時のイメージである。中央部のａはＡＦターゲットマーク、中央下側のｂはスナップモードの設定距離を示している。
図８は、図３のステップ３０７の「ＯＫ表示」を示し、スナップモードの設定距離が「近距離」の場合で、その距離に近い距離の被写体を測距した時にファインダ中央の表示の形が変化して、両者の距離の差が少ないことを表している。
図９は、図３のステップ３１１の「ＮＧ表示」を示し、スナップモードの設定距離が「中距離」の場合で、測距した被写体の距離との差が大きかった時に、ファインダ中央の表示の形が変化するとともに点滅して、両者の距離の差が大きいことを表している。
【００１８】
図１０は、図６の請求項６〜８の発明に係る第二の実施例における表示装置を示す。このＡＦ装置は、７点測距のマルチＡＦであり、関係する表示が全点灯した時のイメージである。中央部のｃはＡＦターゲットマーク、中央下側のｄはスナップモードの設定距離を示している。
図１１は、図６のステップ６０７の「ＯＫ表示」を示し、スナップモードの設定距離が「近距離」の場合で、被写体を測距してスナップモードの設定距離との差が小さいものがあった時にＡＦターゲットマークの形が変化して、両者の距離の差がもっとも少ない被写体位置を示している。
図１２は、図６のステップ６１１の「ＮＧ表示」を示し、スナップモードの設定距離が「中距離」の場合で、被写体を測距してスナップモードの設定距離との差が小さいものが無かった時にＡＦターゲットマークの形が変化するとともに点滅して、両者の距離の差が大きいことを表している。
【００１９】
【発明の効果】
以上述べたように請求項１および２の発明によれば、あらかじめ撮影したい距離を決めておき、被写体の距離と比較しながら、シャッタータイミングを合わせて撮影することが可能になる。動いている被写体などを撮影する場合、「その被写体がある距離に到達した時に撮影する」という撮り方が可能になる。
さらに請求項３の発明によれば、撮影前にレンズを調節制御しておくので、撮影までのタイムラグが少なく、撮影チャンスを逃さないことに加えて、ピントが合っている被写体が何であるかを撮影者が認識できるので、被写体を取り逃がすことも防止できる。
請求項４の発明によれば、あらかじめ決めた撮影距離の被写体が見つからない時に警告表示とレリーズ禁止をかけてくれるので、ピントが合ってない失敗写真を撮ってしまうことを防止できる。
請求項５の発明によれば、あらかじめ決めた撮影距離とオートフォーカスで測距した被写体距離の比較判定にその時の被写界深度を使うので、深度が浅い場合はピントが合いにくい条件下で失敗写真を撮ることを防止するとともに、深度が深い場合はピントが合いやすい条件下で厳しく比較判定しすぎてシャッタチャンスを逃すことも防止できる。
請求項６〜８の発明によれば、オートフォーカス装置が複数の被写体の測距が可能なマルチフォーカスになっており、あらかじめ決めた撮影距離と近い距離の被写体を複数のエリアから求めることが可能である。また通常のマルチフォーカスは測距した複数の被写体の中で最も近い距離の被写体を選ぶものであるが、本考案はそれとは異なり、「撮影したい距離」にある被写体を選ぶことが可能であり、撮影者の撮影意図に一層マッチすることが可能である。
【図面の簡単な説明】
【図１】請求項１〜５の発明に係る第一の実施例の電気的構成を示すブロック図である。
【図２】図１の実施例の動作を示すフロー図である。
【図３】図１の実施例の動作を示すフロー図である。
【図４】図１の実施例の動作を示すフロー図である。
【図５】請求項６〜８の発明に係る第二の実施例の電気的構成を示すブロック図である。
【図６】図５の実施例の動作を示すフロー図である。
【図７】図１の実施例の表示装置のイメージを示す図である。
【図８】図３の「ＯＫ表示」を示す表示装置のイメージ図である。
【図９】図３の「ＮＧ表示」を示す表示装置のイメージ図である。
【図１０】図５の実施例の表示装置のイメージを示す図である。
【図１１】図６の「ＯＫ表示」を示す表示装置のイメージ図である。
【図１２】図６の「ＮＧ表示」を示す表示装置のイメージ図である。
【符号の説明】
１　システムコントロールユニット
２　ＬＣＤモニタ駆動回路
３　ＬＣＤモニタ
４　ＡＦユニット
５　撮影レンズユニット
６　レンズ駆動部
７　シャッタ部
８　スナップモードスイッチ
９　レリーズスイッチ
１１　ＡＦ制御部
１２　ＡＦ測距距離記憶部
１３　スナップモード撮影距離設定部
１４　スナップモード撮影距離とＡＦ結果の比較部
１５　マルチＡＦ制御部
１６　マルチＡＦユニット
ａ　ＡＦターゲットマーク
ｂ　スナップモードの設定距離
ｃ　ＡＦターゲットマーク
ｄ　スナップモードの設定距離
【図１】
2004109272.tif 000003
【図２】
2004109272.tif 000004
【図３】
2004109272.tif 000005
【図４】
2004109272.tif 000006
【図５】
2004109272.tif 000007
【図６】
2004109272.tif 000008
【図７】
2004109272.tif 000009
【図８】
2004109272.tif 000010
【図９】
2004109272.tif 000011
【図１０】
2004109272.tif 000012
【図１１】
2004109272.tif 000013
【図１２】
2004109272.tif 000014